(57)【特許請求の範囲】
【請求項１】
通信衛星から送信される衛星通信放送を衛星通信放送受信装置によって受信する衛星通信放送受信方法において、
上記衛星通信放送の中の受信希望の所望の番組や広告の属性が含まれる属性分類に対応する押しボタンスイッチを押すと、
この押しボタンスイッチ自体あるいはこれに対応する表示ランプが点灯するとともに、上記属性を上記衛星通信放送受信装置に設けられたデータベースに登録し、
この登録された属性を上記通信衛星から送信される衛星通信放送の各番組や広告にそれぞれ付加された属性情報とが一致する場合にのみ所望の番組や広告を選択受信する
ことを特徴とする衛星通信放送受信方法。
【請求項２】
上記選択受信した所望の番組や広告の映像信号を所定の記憶手段に属性別に記憶し、
該記憶手段に属性別に記憶した映像信号を該記憶手段から属性別に読み出すことにより上記所望の番組や広告を閲覧する
ことを特徴とする請求項１記載の衛星通信放送受信方法。
【請求項３】
通信衛星から送信される衛星通信放送を受信する衛星通信放送受信装置において、
上記衛星通信放送受信装置の前面パネルに設けられ、押されることによりそれ自体あるいはこれに対応する表示ランプが点灯するとともに、上記衛星通信放送の中の受信希望の所望の番組や広告の属性をこの衛星通信放送受信装置に設けられたデータベースに登録する押しボタンスイッチと、
この登録された属性と上記通信衛星から送信される衛星通信放送の各番組や広告にそれぞれ付加された属性情報とが一致する場合にのみ所望の番組や広告を選択受信する選択受信手段と、
を具備することを特徴とする衛星通信放送受信装置。
【請求項４】
上記選択受信手段で選択受信した所望の番組や広告の放送映像信号を属性別に記憶する記憶手段と、
上記記憶手段に記憶された所望の番組や広告の放送映像信号を属性別に読み出す読出し手段と、
上記読出し手段で読み出した放送映像信号に基づき上記所望の番組や広告を閲覧する映像再生手段と、
を更に具備することを特徴とする請求項３記載の衛星通信放送受信装置。
【発明の詳細な説明】
【０００１】
【発明の属する技術分野】
この発明は、通信衛星（ＣＳ）から送信される衛星通信放送を受信する衛星通信放送受信方法および装置に関し、特に、ユーザの趣味、趣向に合わせて衛星通信放送の中の所望番組や広告を自動的に選択受信することができるようにした衛星通信放送受信方法および装置に関する。
【０００２】
【従来の技術】
最近、通信衛星（ＣＳ）を用いた衛星通信放送が開始されたが、この通信衛星（ＣＳ）を用いた衛星通信放送は、多数の番組や広告を広域に並列放送できることから各種番組や広告の放送をユーザに提供することができる新たな情報配信システムとして注目されている。
【０００３】
【発明が解決しようとする課題】
しかし、上記従来の通信衛星を用いた衛星通信放送においては、多数の番組や広告の中から各ユーザの趣味、趣向に合わせた個別番組や広告を自動的に選択受信することはできなかった。
【０００４】
すなわち、通信衛星（ＣＳ）を用いた衛星放送においては、広域かつ多種の情報の配信は可能であり、非常に有効な情報配信媒体でありながら、この個別番組や広告を自動的に選択受信することができないので、この広域かつ多種の情報配信を各ユーザの趣味、趣向に合わせて有効に活用することはできなかった。
【０００５】
そこで、この発明は、ユーザの趣味、趣向に合わせて衛星放送の中の所望番組や広告を自動的に選択受信することができるようにした衛星通信放送受信方法および装置を提供することを目的とする。
【０００６】
【課題を解決するための手段】
上記目的を達成するため、請求項１の発明は、通信衛星から送信される衛星通信放送を衛星通信放送受信装置によって受信する衛星通信放送受信方法において、上記衛星通信放送の中の受信希望の所望の番組や広告の属性が含まれる属性分類に対応する押しボタンスイッチを押すと、この押しボタンスイッチ自体あるいはこれに対応する表示ランプが点灯するとともに、上記属性を上記衛星通信放送受信装置に設けられたデータベースに登録し、この登録された属性を上記通信衛星から送信される衛星通信放送の各番組や広告にそれぞれ付加された属性情報とが一致する場合にのみ所望の番組や広告を選択受信することを特徴とする。
【０００７】
ここで、番組や広告の属性とは、各番組や広告に対応して設定された符号情報であってもよいし、また、番組や広告のタイトル、出演者、またはこの番組や広告の広告主の会社名、商品等を含む情報であってもよい。
【０００８】
また、請求項２の発明は、請求項１の発明において、上記選択受信した所望の番組や広告の映像信号を所定の記憶手段に属性別に記憶し、該記憶手段に属性別に記憶した映像信号を該記憶手段から属性別に読み出すことにより上記所望の番組や広告を閲覧することを特徴とする。
【００１２】
また、請求項３の発明は、通信衛星から送信される衛星通信放送を受信する衛星通信放送受信装置において、上記衛星通信放送受信装置の前面パネルに設けられ、押されることによりそれ自体あるいはこれに対応する表示ランプが点灯するとともに、上記衛星通信放送の中の受信希望の所望の番組や広告の属性をこの衛星通信放送受信装置に設けられたデータベースに登録する押しボタンスイッチと、この登録された属性と上記通信衛星から送信される衛星通信放送の各番組や広告にそれぞれ付加された属性情報とが一致する場合にのみ所望の番組や広告を選択受信する選択受信手段と、を具備することを特徴とする。
【００１３】
また、請求項４の発明は、請求項３の発明において、上記選択受信手段で選択受信した所望の番組や広告の放送映像信号を属性別に記憶する記憶手段と、上記記憶手段に記憶された所望の番組や広告の放送映像信号を属性別に読み出す読出し手段と、上記読出し手段で読み出した放送映像信号に基づき上記所望の番組や広告を閲覧する映像再生手段と、を更に具備することを特徴とする。
【００２０】
【発明の実施の形態】
以下、この発明に係わる衛星通信放送受信方法および装置の実施の形態を添付図面を参照して詳細に説明する。
【００２１】
図１は、この発明に係わる衛星通信放送受信方法および装置を適用して構成した衛星通信放送システム１００の概略構成を示すシステム構成図である。
【００２２】
図１において、この衛星通信放送システム１００は、通信衛星（ＣＳ）２０を用いて衛星通信放送を行うもので、この通信衛星２０に対して衛星通信放送情報を電波で送信する地上の放送局１０、放送局１０から電波送信された衛星通信放送情報を受信して、該受信した衛星通信放送情報を地上の一般家庭等に配設された複数の衛星通信放送チューナ３０−１〜３０−ｎに対して電波で放送送信する通信衛星２０、この通信衛星２０から電波で放送送信された衛星通信放送を受信する複数の衛星通信放送チューナ（以下、ＣＳチューナという）３０−１〜３０−ｎ、この複数のＣＳチューナ３０−１〜３０−ｎに対応してそれぞれ設けられたテレビ受像機４０−１〜４０−ｎを具備して構成される。
【００２３】
さて、この実施の形態の衛星通信放送システム１００においては、通信衛星２０から電波で放送送信された衛星通信放送される各種番組や広告の中の所望の番組や広告を各ＣＳチューナ３０−１〜３０−ｎにおいて、各ユーザの趣味、趣向に合わせて自動的に選択受信することができるように構成される。
【００２４】
そこで、この実施の形態の衛星通信放送システム１００においては、通信衛星２０から電波で放送送信される衛星通信放送の各種番組や広告にそれぞれ属性情報が付加されている。
【００２５】
ここで、この属性情報とは、各番組や広告に対応して設定された符号情報であってもよいし、また、番組や広告のタイトル、出演者、またはこの番組や広告の広告主の会社名、商品等を含む情報であってもよい。
【００２６】
各ＣＳチューナ３０−１〜３０−ｎでは、上記通信衛星２０から放送送信される衛星通信放送の中の受信希望の所望の番組や広告の属性をデータベースとして予め登録しておき、上記通信衛星２０からの衛星通信放送の受信時には、このデータベースに登録された属性と上記通信衛星２０から放送送信される衛星通信放送の各番組や広告にそれぞれ付加された属性情報とを照合して、所望の番組や広告のみを自動的に選択受信する。
【００２７】
すなわち、各ＣＳチューナ３０−１〜３０−ｎには、ＣＳチューナ３０−１に代表して示されるように、予め受信希望の所望の番組や広告の属性を設定する属性設定部３２、属性設定部３２で設定された属性が登録されるデータベース３３、アンテナ３１で通信衛星２０から受信した衛星通信放送の番組や広告の中からデータベース３３に登録された属性を参照して所望の番組や広告を選択受信する選択受信部３４、選択受信部３４で受信した番組や広告の映像信号を属性別に記憶するハードディスク等からなる記憶部３５、この記憶部３５に記憶された映像信号の中の所望の信号を読み出してテレビ受像機４０−１に送信する読出し部３６が設けられている。
【００２８】
また、各ＣＳチューナ３０−１〜３０−ｎは、通信衛星２０から放送送信される衛星通信放送の電波をアンテナ３１を介して受信するが、この受信した衛星通信放送の番組や広告には、例えば図２に示すように、各番組Ａ、番組Ｂ、・・・に対応してそれぞれ属性情報が付加されている。
【００２９】
選択受信部３４は、この受信した衛星通信放送の番組や広告に付加されている属性情報がデータベース３３に登録されている属性に該当するかを照合する。この照合は、ＣＳチューナ３０−１〜３０−ｎに内蔵されているプログラムによって自動的に行われる。
【００３０】
そして、受信した衛星通信放送の番組や広告に付加されている属性情報がデータベース３３に登録されている属性に該当すると判断されると、この衛星通信放送の番組を選択受信する。この選択受信した番組や広告の映像信号は記憶部３５の属性別のフォルダに保存される。
【００３１】
この記憶部３５に保存された映像信号は、読出し部３６により読み出され、対応するテレビ受像機４０−１〜４０−ｎに入力され、これにより、この番組をテレビ受像機４０−１〜４０−ｎを用いて視聴することができる。
【００３２】
このような構成によると、本来広域送信としてしか用いられていなかった衛星通信放送を用いて、各ユーザの趣味、趣向に合わせた情報の配信を行うことが可能になり、また、登録する属性の設定により、ワントゥワンの情報配信やマーケティング等も可能になる。
【００３３】
なお、以下の説明では、説明の便宜上属性情報について番組を取り上げて説明するが、その他広告等が含まれるのは勿論である。
【００３４】
図３は、図１に示した属性設定部３２による属性設定の一例を示す図である。
【００３５】
図３には、ユーザによる任意の属性設定を可能にするＣＳチューナ３０−１〜３０−ｎの前面パネル３００が示されている。図３に示す前面パネル３００には、衛星通信放送の各番組の属性分類に対応して設けられた１０個の照光式押しボタンスイッチ３０１−１〜３０１−１０が設けられている。
【００３６】
ここでは、照光式押しボタンスイッチ３０１−１が属性分類「カルチャー」に対応し、照光式押しボタンスイッチ３０１−２が属性分類「スポーツ」に対応し、照光式押しボタンスイッチ３０１−３が属性分類「芸能」に対応し、照光式押しボタンスイッチ３０１−４が属性分類「ファッション」に対応し、照光式押しボタンスイッチ３０１−５が属性分類「ショッピング」に対応し、照光式押しボタンスイッチ３０１−６が属性分類「トラベル」に対応し、照光式押しボタンスイッチ３０１−７が属性分類「天気」に対応し、照光式押しボタンスイッチ３０１−８が属性分類「音楽」に対応し、照光式押しボタンスイッチ３０１−９が属性分類「ニュース」に対応し、照光式押しボタンスイッチ３０１−１０が属性分類「ギャンブル」に対応している。
【００３７】
ここで、ユーザが、例えば、属性分類「カルチャー」に対応する照光式押しボタンスイッチ３０１−１と属性分類「ファッション」に対応する照光式押しボタンスイッチ３０１−４と属性分類「トラベル」に対応する照光式押しボタンスイッチ３０１−６を押すと、照光式押しボタンスイッチ３０１−１、３０１−４、３０１−６が点灯し、ユーザに属性分類「カルチャー」、属性分類「ファッション」、属性分類「トラベル」が選択されたことを知らせる。これと同時に、属性分類「カルチャー」、属性分類「ファッション」、属性分類「トラベル」にそれぞれ含まれる属性が図１に示したデータベース３３に登録される。
【００３８】
これにより、このＣＳチューナにおいては、通信衛星２０から放送送信される衛星通信放送の各番組の中から属性分類「カルチャー」、属性分類「ファッション」、属性分類「トラベル」にそれぞれ含まれる属性を属性情報として持つ番組を選択受信することが可能になる。
【００３９】
なお、上記選択された属性分類の中で、例えば、属性分類「トラベル」が不要になると、点灯していた属性分類「トラベル」に対応する照光式押しボタンスイッチ３０１−６を再度押すことにより、この属性分類「トラベル」に対応する照光式押しボタンスイッチ３０１−６は消灯し、これと同時に、データベース３３に登録されていた属性分類「トラベル」に含まれる属性が削除される。
【００４０】
これにより、属性分類「トラベル」に含まれる属性を属性情報として持つ番組の選択受信はなくなる。
【００４１】
なお、図３に示した属性分類は、一例であって、その他種々の属性分類の設定も可能である。
【００４２】
また、図３に示した構成において、例えば、登録ボタン若しくは更新ボタンを別に設けて、この登録ボタン若しくは更新ボタンを押すことによって照光式押しボタンスイッチ３０１−１〜３０１−１０によって選択された属性分類に含まれる属性をデータベース３３に登録若しくは削除するように構成してもよい。
【００４３】
図４は、図１に示した属性設定部３２による属性設定の他の例を示す図である。
【００４４】
図４にも、ユーザによる任意の属性設定を可能にするＣＳチューナ３０−１〜３０−ｎの他の前面パネル３１０が示されているが、図４に示す前面パネル３１０には、衛星通信放送の各番組の属性分類に対応して設けられた１０個の押しボタンスイッチ３１１−１〜３１１−１０と、この１０個の押しボタンスイッチ３１１−１〜３１１−１０にそれぞれ対応して１０個のＬＥＤ（発光ダイオード）等からなる表示ランプ３１２−１〜３１２−１０が設けられている。
【００４５】
この図４に示す構成においては、図３と同様に属性分類「カルチャー」、属性分類「ファッション」、属性分類「トラベル」を選択する場合は、属性分類「カルチャー」、属性分類「ファッション」、属性分類「トラベル」に対応して設けられた押しボタンスイッチ３１１−１、３１１−４、３１１−６を押す。
【００４６】
これにより、押しボタンスイッチ３１１−１、３１１−４、３１１−６に対応する表示ランプ３１２−１、３１２−４、３１２−６が点灯し、これにより、属性分類「カルチャー」、属性分類「ファッション」、属性分類「トラベル」が選択されたことをユーザに知らせる。
【００４７】
また、これと同時に、属性分類「カルチャー」、属性分類「ファッション」、属性分類「トラベル」にそれぞれ含まれる属性が図１に示したデータベース３３に登録される。
【００４８】
これにより、このＣＳチューナにおいては、通信衛星２０から放送送信される衛星通信放送の各番組の中から属性分類「カルチャー」、属性分類「ファッション」、属性分類「トラベル」にそれぞれ含まれる属性を属性情報として持つ番組を選択受信することが可能になる。
【００４９】
なお、この構成においても属性分類の登録および削除は図３と同様の操作で行うことができる。
【００５０】
図５は、図１に示した属性設定部３２による属性設定の更に他の例を示す図である。
【００５１】
図５においては、テレビ受像機４０−１〜４０−ｎの画面の属性設定画面４００を用いて属性分類の設定を行う。すなわち、この図５に示す構成においてはＣＳチューナ３０−１〜３０−ｎの他の前面パネル３２０に属性分類に対応して設けられた１０個の表示ランプ３２１−１〜３２１−１０と、この１０個の表示ランプ３３１−１〜３３１−１０に対応して属性設定画面４００には１０個の属性分類（アイコン）表示部が設けられている。
【００５２】
このテレビ受像機４０−１〜４０−ｎの属性設定画面４００上における属性設定は、テレビ受像機４０−１〜４０−ｎに備えられたリモコン等を用いて上記属性分類（アイコン）を選択することにより行うことができる。
【００５３】
すなわち、この図５に示す構成においてはＣＳチューナ３０−１〜３０−ｎの他の前面パネル３２０に衛星通信放送の各番組の属性分類に対応して設けられた１０個の表示ランプ３２１−１〜３２１−１０が設けられており、このテレビ受像機４０−１〜４０−ｎの属性設定画面４００には、この１０個の表示ランプ３２１−１〜３２１−１０にそれぞれ対応する属性分類が表示されている。
【００５４】
ここで、図３と同様に属性分類「カルチャー」、属性分類「ファッション」、属性分類「トラベル」を選択する場合は、属性設定画面４００上で属性分類「カルチャー」、属性分類「ファッション」、属性分類「トラベル」をリモコン等を用いて選択する。
【００５５】
これにより、テレビ受像機４０−１〜４０−ｎの画面４００上で選択された属性分類「カルチャー」、属性分類「ファッション」、属性分類「トラベル」に対応して前面パネル３２０の表示ランプ３２１−１、３２１−４、３２１−６が点灯し、属性分類「カルチャー」、属性分類「ファッション」、属性分類「トラベル」が選択されたことをユーザに知らせる。
【００５６】
また、これと同時に、属性分類「カルチャー」、属性分類「ファッション」、属性分類「トラベル」にそれぞれ含まれる属性が図１に示したデータベース３３に登録される。
【００５７】
これにより、このＣＳチューナにおいては、通信衛星２０から放送送信される衛星通信放送の各番組の中から属性分類「カルチャー」、属性分類「ファッション」、属性分類「トラベル」にそれぞれ含まれる属性を属性情報として持つ番組を選択受信することが可能になる。
【００５８】
図６は、図１に示した属性設定部３２による属性設定の更に他の例を示す図である。
【００５９】
図６においても、テレビ受像機４０−１〜４０−ｎの画面の属性設定画面４１０を用いて属性分類の設定を行う。すなわち、この図６に示す構成においてはＣＳチューナ３０−１〜３０−ｎの他の前面パネル３２０に属性分類に対応して設けられた１０個の表示ランプ３３１−１〜３３１−１０と、この１０個の表示ランプ３３１−１〜３３１−１０に対応する１０個の属性分類表示部３３２−１〜３３２−１０が設けられている。
【００６０】
ここで、この属性分類の登録が未登録の場合は、表示ランプ３３１−１〜３３１−１０に対応する１０個の属性分類表示部３３２−１〜３３２−１０に属性分類番号「１」〜「１０」が表示されている。
【００６１】
また、テレビ受像機４０−１〜４０−ｎの属性設定画面４１０には、属性入力および割付番号の入力を行う画面が表示される。
【００６２】
ここで、例えば、属性分類「プロ野球」を属性分類番号「１」に割り付けて登録設定する場合は、テレビ受像機４０−１〜４０−ｎの属性設定画面４１０上で、属性入力として「プロ野球」を入力し、割付番号として「１」を入力する。
【００６３】
このテレビ受像機４０−１〜４０−ｎの属性設定画面４１０上における属性入力および割付番号の入力は、テレビ受像機４０−１〜４０−ｎに備えられたリモコン等を用いて行うことができる。
【００６４】
これにより属性分類表示部３３２−１には、図６に示すように「プロ野球」が表示され、この表示部３３２−１に対応する表示ランプ３３１−１は点灯して、属性分類「プロ野球」を属性分類番号「１」に割り付けて設定されたことをユーザに知らせる。
【００６５】
また、これと同時に、属性分類「プロ野球」に含まれる属性が図１に示したデータベース３３に登録される。
【００６６】
これにより、このＣＳチューナにおいては、通信衛星２０から放送送信される衛星通信放送の各番組の中から属性分類「プロ野球」に含まれる属性を属性情報として持つ番組を選択受信することが可能になる。
【００６７】
この図６に示した構成によると、ユーザによる任意の属性分類および割り付けが可能になる。
【００６８】
図７は、図１に示したＣＳチューナ３０−１〜３０−ｎの選択受信部３２における選択受信処理の具体例を示すフローチャートである。
【００６９】
図７において、図１に示したＣＳチューナ３０−１〜３０−ｎの選択受信部３２においては、通信衛星２０から放送送信される衛星通信放送の電波をアンテナ３１を介して受信すると、まず、衛星通信放送の受信番組から属性情報を抽出する（ステップ６０１）。
【００７０】
次に、この衛星通信放送の受信番組から抽出した属性情報がデータベース３に登録されている属性に一致するかの判断がなされる（ステップ６０２）。ここで、この衛星通信放送の受信番組から抽出した属性情報がデータベース３に登録されている属性に一致しないと判断されると（ステップ６０２でＮＯ）、このＣＳチューナ３０−１〜３０−ｎの受信チャネルを次のチャネルに切り換え（ステップ６０３）、次に、この切り換えたチャネルは最終チャネルかを調べる（ステップ６０４）。
【００７１】
ここで、最終チャネルでないと判断されると（ステップ６０４でＮＯ）、ステップ６０１に戻り、再び、ステップ６０１からステップ６０４までの処理を繰り返す。
【００７２】
そして、ステップ６０４で、最終チャネルであると判断されると（ステップ６０４でＹＥＳ）、衛星通信放送の受信番組の中にデータベース３に登録されている属性に一致するものがなかったとしてこの処理を終了する。
【００７３】
また、ステップ６０２で、衛星通信放送の受信番組から抽出した属性情報がデータベース３に登録されている属性に一致すると判断されると（ステップ６０２でＹＥＳ）、この番組の映像信号を選択受信してこの選択受信した映像信号を記憶部３５に保存する（ステップ６０５）。
【００７４】
次に、この番組が終了したかを調べ（ステップ６０６）、ここでこの番組が終了していないと判断されると（ステップ６０６でＮＯ）、ステップ６０６に戻り、この番組の終了を待つが、この番組が終了したと判断されると（ステップ６０６でＮＯ）、この処理を終了する。
【００７５】
なお、上記記憶部３５に保存された映像信号は、ユーザ操作により何時でも記憶部３５から読み出してテレビ受像機４０−１〜４０−ｎの画面上で閲覧することができる。
【００７６】
【発明の効果】
以上説明したようにこの発明によれば、通信衛星から送信される衛星通信放送を受信する衛星通信放送受信方法において、上記通信衛星から送信される衛星通信放送の中の受信希望の所望の番組や広告の属性を予め登録し、上記通信衛星から送信される衛星通信放送の各番組や広告にそれぞれ付加された属性情報に基づき上記予め登録した属性に対応する所望の番組や広告を選択受信するように構成したので、本来広域送信としてしか用いられていなかった衛星通信放送を用いて、各ユーザの趣味、趣向に合わせた情報の配信を行うことが可能になり、また、ワントゥワンの情報配信やマーケティング等も可能になるという効果を奏する。
【図面の簡単な説明】
【図１】この発明に係わる衛星通信放送受信方法および装置を適用して構成した衛星通信放送システム１００の概略構成を示すシステム構成図である。
【図２】図１に示した通信衛星から放送送信される衛星通信放送のデータ構成を示す図である。
【図３】図１に示した属性設定部による属性設定の一例を示す図である。
【図４】図１に示した属性設定部による属性設定の他の例を示す図である。
【図５】図１に示した属性設定部による属性設定の更に他の例を示す図である。
【図６】図１に示した属性設定部による属性設定の更に他の例を示す図である。
【図７】図１に示したＣＳチューナの選択受信部３２における選択受信処理の具体例を示すフローチャートである。
【符号の説明】
１０    放送局
１１    アンテナ
２０    通信衛星（ＣＳ）
３０−１〜３０−ｎ    衛星通信放送チューナ（ＣＳチューナ）
３１    アンテナ
３２    属性設定部
３３    データベース
３４    選択受信部
３５    記憶部
３６    読出し部
４０−１〜４０−ｎ    テレビ受像機
１００    衛星通信放送システム
３００    前面パネル
３０１−１〜３０１−１０    照光式押しボタンスイッチ
３１０    前面パネル
３１１−１〜３１１−１０    押しボタンスイッチ
３１２−１〜３１２−１０    表示ランプ
３２０    前面パネル
３２１−１〜３２１−１０    表示ランプ
３３０    前面パネル
３３１−１〜３３１−１０    表示ランプ
３３２−１〜３３２−１０    表示部
４００    属性設定画面
４１０    属性設定画面
【図１】
0003559768.tif 000002
【図２】
0003559768.tif 000003
【図３】
0003559768.tif 000004
【図４】
0003559768.tif 000005
【図５】
0003559768.tif 000006
【図６】
0003559768.tif 000007
【図７】
0003559768.tif 000008